(57)【要約】【課題】原稿画像データを、人手を介することなく、また画像品質を劣化させることなく、目的地へ転送すること。【解決手段】ＦＡＸ部３０６，ＰＣ通信部３０７等により受信した画像データを図形認識部３０３，文字認識部３０４で認識処理し、該画像データ内にヘッダシートの画像データが含まれている場合には、本体制御部３０２が、前記受信した画像データをＦＡＸ部３０６，ＰＣ通信部３０７等により転送する構成を特徴とする。【選択図】　　　図９
2004064624.tif 000002
【特許請求の範囲】
【請求項１】
所定の通信媒体を介して外部装置と画像データを送受信する通信手段と、前記通信手段により受信した画像データを受信形態に基づいて処理する受信画像データ処理手段とを有する画像処理装置において、
前記通信手段により受信した画像データ内に所定のシートの画像データが含まれている場合に、前記受信した画像データを前記通信手段により転送処理させる第１の制御手段を有することを特徴とする画像処理装置。
【請求項２】
前記第１の制御手段は、前記受信した画像データから前記所定のシートの画像データを除いた画像データを転送させることを特徴とする請求項１記載の画像処理装置。
【請求項３】
前記第１の制御手段は、前記通信手段により受信した画像データ内に所定のシートの画像データが含まれていない場合、前記受信画像データ処理手段により処理させることを特徴とする請求項１又は２記載の画像処理装置。
【請求項４】
前記受信形態は、ファクシミリ受信，インターネットファクシミリ受信，電子メール受信，ファイル受信，プリントジョブ受信のうち少なくとも１つ以上を含むものであり、
前記受信画像データ処理手段は、前記画像データの受信形態に基づいてファクシミリプリント処理，インターネットファクシミリプリント処理，電子メール格納処理，ファイル格納処理，プリント処理のうち少なくとも１つ以上を行うことを特徴とする請求項１〜３のいずれかに記載の画像処理装置。
【請求項５】
前記受信した画像データ内に前記所定のシートの画像データが含まれている場合に、前記所定のシートの画像データ内の転送情報を認識する第１の認識手段を有し、
前記第１の制御手段は、前記第１の認識手段により認識された転送情報に基づいて、前記受信した画像データを転送させることを特徴とする請求項１〜４のいずれかに記載の画像処理装置。
【請求項６】
前記転送情報は、受信した画像データの転送先および転送時の送信形態を特定する情報を含むものであり、
前記第１の制御手段は、前記受信した画像データを前記転送先に前記送信形態で転送させることを特徴とする請求項５記載の画像処理装置。
【請求項７】
前記第１の制御手段は、前記転送処理がエラーとなった場合、該エラーとなった旨を示す情報を、前記画像データの送信元に送信させることを特徴とする請求項１〜６のいずれかに記載の画像処理装置。
【請求項８】
原稿を走査して画像データを入力する読み取り手段を有し、
前記読み取り手段により所定のシートを走査させて前記所定のシートに記載された送信情報を認識する第２の認識手段と、
前記第２の認識手段により認識された送信情報に基づいて、前記読み取り手段により入力される画像データに対する前記通信手段による送信処理を制御する第２の制御手段とを有し、
前記第２の制御手段は、前記送信情報内の転送情報の有無に基づいて、前記通信手段に送信させる画像データに前記所定のシートの画像データを含ませるか否かを制御することを特徴とする請求項１〜７のいずれかに記載の画像処理装置。
【請求項９】
前記第２の制御手段は、前記送信情報内に転送情報が含まれている場合には、前記送信させる画像データに前記所定のシートの画像データを含ませ、一方、前記送信情報内に転送情報が含まれていない場合には、前記送信させる画像データに前記所定のシートの画像データを含ませないことを特徴とする請求項８記載の画像処理装置。
【請求項１０】
前記送信情報は、前記読み取り手段による走査条件、前記送信手段による送信先および送信形態を特定する情報を含むものであり、
前記第２の制御手段は、前記走査条件に基づいて前記読み取り手段による読み取り処理を制御し、前記送信先および送信形態に基づいて前記画像データの送信先および送信形態を制御することを特徴とする請求項８又は９記載の画像処理装置。
【請求項１１】
前記転送情報は、送信される画像データの転送先および転送時の送信形態を特定する情報を含むことを特徴とする請求項８〜１０記載の画像処理装置。
【請求項１２】
前記送信形態は、ファクシミリ送信，インターネットファクシミリ送信，電子メール送信，ファイル送信，プリントジョブ送信を含むことを特徴とする請求項１０又は１１記載の画像処理装置。
【請求項１３】
前記所定のシートは、所定の通信媒体を介してダウンロードされ印刷されたシートであることを特徴とする請求項１〜１２のいずれかに記載の画像処理装置。
【請求項１４】
前記所定のシートは、ネットワークを介してサーバ装置にアクセスし、該サーバ装置上で使用する画像処理装置の機種を選択し、ダウンロードされ印刷された、使用する画像処理装置の機種で使用可能な走査条件，送信形態を特定する情報が記載されたシートであることを特徴とする請求項１〜１２のいずれかに記載の画像処理装置。
【請求項１５】
所定の通信媒体を介して画像データを受信する受信工程と、
該受信した画像データ内に所定のシートの画像データが含まれている場合には、前記受信した画像データを転送する転送工程と、
を有することを特徴とする画像データ転送方法。
【請求項１６】
前記受信した画像データ内に所定のシートの画像データが含まれていない場合にのみ、前記受信した画像データを受信形態に基づいて処理する受信画像データ処理工程を有することを特徴とする請求項１５記載の画像データ転送方法。
【請求項１７】
前記受信形態は、ファクシミリ受信，インターネットファクシミリ受信，電子メール受信，ファイル受信，プリントジョブ受信を含むものであり、
前記受信画像データ処理工程は、ファクシミリプリント処理，インターネットファクシミリプリント処理，電子メール格納処理，ファイル格納処理，プリント処理を含むことを特徴とする請求項１６記載の画像データ転送方法。
【請求項１８】
前記受信された画像データ内に前記所定のシートの画像データが含まれている場合に、前記所定のシートの画像データ内の転送情報を認識する第１の認識工程を設け、
前記転送工程は、前記第１の認識工程により認識された転送情報に基づいて、前記受信された画像データを転送させることを特徴とする請求項１５〜１７のいずれかに記載の画像データ転送方法。
【請求項１９】
前記転送情報は、受信された画像データの転送先および転送時の送信形態を特定する情報を含むものであり、
前記転送工程は、前記受信された画像データを前記転送先に前記転送形態で転送させることを特徴とする請求項１８記載の画像データ転送方法。
【請求項２０】
前記転送工程による転送処理がエラーとなった場合、該エラーとなった旨を示す情報を、前記画像データの送信元に送信するエラー通知工程を有することを特徴とする請求項１５〜１９のいずれかに記載の画像データ転送方法。
【請求項２１】
所定のシートを走査し前記所定のシートに記載された送信情報を認識する第２の認識工程と、
該認識された送信情報に基づいて、原稿を走査して画像データを入力し、該入力される画像データを送信する送信工程とを有し、
前記送信工程は、前記認識された送信情報内に転送情報が含まれている場合には、送信させる画像データに前記所定のシートの画像データを含ませ、一方、前記送信情報内に転送情報が含まれていない場合には、前記送信処理させる画像データに前記所定のシートの画像データを含ませないことを特徴とする請求項１５〜２０のいずれかに記載の画像データ転送方法。
【請求項２２】
前記送信情報は、原稿の走査条件、原稿から入力される画像データの送信先および送信形態を特定する情報を含むものであり、
前記送信工程は、前記走査条件に基づいて原稿を走査して画像データを入力し、該入力された画像データを前記送信形態で送信することを特徴とする請求項２１記載の画像データ転送方法。
【請求項２３】
前記転送情報は、送信される画像データの転送先および転送時の送信形態を特定する情報を含むことを特徴とする請求項２２記載の画像データ転送方法。
【請求項２４】
前記送信形態は、ファクシミリ送信，インターネットファクシミリ送信，電子メール送信，ファイル送信，プリントジョブ送信を含むことを特徴とする請求項１９，２２，２３のいずれかに記載の画像データ転送方法。
【請求項２５】
前記所定のシートは、所定の通信媒体を介してダウンロードされ印刷されたシートであることを特徴とする請求項１５〜２４のいずれかに記載の画像データ転送方法。
【請求項２６】
前記所定のシートは、ネットワークを介してサーバ装置にアクセスし、該サーバ装置上で使用する画像処理装置の機種を選択し、ダウンロードされ印刷された、使用する画像処理装置の機種で使用可能な走査条件，送信形態を特定する情報が記載されたシートであることを特徴とする請求項１５〜２４のいずれかに記載の画像データ転送方法。
【請求項２７】
請求項１５〜２６のいずれかに記載された画像データ転送方法を実行するためのプログラム。
【請求項２８】
請求項１５〜２６のいずれかに記載された画像データ転送方法を実行するためのプログラムをコンピュータが読み取り可能に記憶した記録媒体。
【発明の詳細な説明】
【０００１】
【発明の属する技術分野】
本発明は、所定の通信媒体を介して外部装置と画像データを送受信可能な画像処理装置および画像データ転送方法およびプログラムおよび記録媒体に関するものである。
【０００２】
【従来の技術】
近年、ファクシミリ（ＦＡＸ）機能，インターネット／イントラネットファクシミリ（Ｉファクシミリ）機能，コピー機能等のように複数の機能を備えた複合複写機等の画像処理装置が数多く使用されるようになった。このような複合複写機では、ユーザが操作パネルから指示することにより、原稿をスキャンし、該スキャンされた原稿の画像データに対して所望の処理を施す（例えば、単にコピーしたり、ＦＡＸ送信したり、ＩＦＡＸ送信したり、コンピュータに送信したりする）ことができる。
【０００３】
また、全国に事務所，支店等を有する企業等では、内線等の通信費の安い回線を使用して、目的の近く（中継地点）までＦＡＸを送信し、一度受信した中継地点から再度ＦＡＸを送信（転送）することにより、通信費のコストダウンを行っていた。
【０００４】
【発明が解決しようとする課題】
しかしながら、上記従来の複合複写機では、上述したように、原稿をスキャンし、該スキャンされた原稿の画像データを、コピーしたり、ＦＡＸ送信したり、ＩＦＡＸ送信したり、コンピュータに送信したりする際、ユーザが操作パネルで複雑な操作を行う必要があり（機能が増える毎に操作が複雑になる）、操作パネルにおいて、どのメニュー（キー）を選択すれば所望の処理を行うことができるのか、分かりづらく、操作パネルのキー配列に不慣れなユーザでは、所望の処理を指示することが困難であるという問題点が発生している。
【０００５】
なお、原稿をスキャンしてコンピュータに送信する際のユーザの操作負担を軽減するための技術が特開平１０−２１８６８３号公報に記載されている。
【０００６】
上記特開平１０−２１８６８３号公報では、原稿の読み取り条件と読み取った画像データの送信先等を記載したカバーシートを用いることにより、上述したユーザの操作負担を軽減している。
【０００７】
しかしながら、上記特開平１０−２１８６８３号公報に記載の技術を用いて、原稿画像の送信をユーザの操作負担無く行えたとしても、上述したように、目的の近くの中継地点まで原稿画像をＦＡＸ送信し、該中継地点からから再度原稿画像をＦＡＸ送信（転送）することを行いたい場合では、結局、中継地点のユーザに、一度受信したＦＡＸを原稿として再度スキャンさせて転送させる処理が発生してしまい中間地点でのユーザの処理が面倒であったり、中間地点において忘れられてしまい転送されないこともしばしば起こっていた。
【０００８】
また、一度受信したＦＡＸを原稿として再度スキャンさせていたため、画像が劣化してしまうという問題点もあった。
【０００９】
さらに、上記中継地点から転送される際に、転送エラーとなることも起こり得るが、その場合、転送のエラーは中間地点に通知されるため、中間地点のユーザが、転送エラーとなった旨を元々の送信者に通知しなければ、元々の送信者は、転送エラーとなった旨を知ることができないという問題点もあった。
【００１０】
本発明は、上記の問題点を解決するためになされたもので、本発明の目的は、所定の通信媒体を介して受信した画像データ内に所定のシートの画像データが含まれている場合には、前記受信した画像データを画像データ中の転送先情報に従い画像処理装置を中継しながら転送することにより、所定のシートと原稿を合わせて送信された画像データであれば、画像データ中の転送先情報に従い画像処理装置を中継しながら中間地点において人手を介することなく、画像処理装置を中継して最終の目的地へ転送することができるとともに、人手を介した中継転送による画像品質の劣化を防ぐことができる画像処理装置および画像データ転送方法およびプログラムおよび記憶媒体を提供することである。
【００１１】
【課題を解決するための手段】
本発明に係る第１の発明は、所定の通信媒体（図１に示すインターネット，公衆回線５００，ＬＡＮ４００等）を介して外部装置と画像データを送受信する通信手段（図２に示すファクシミリ部４（図９に示すＦＡＸ部３０６），ネットワークインタフェース部５（図９に示すＰＣ通信部３０７））と、前記通信手段により受信した画像データを受信形態に基づいて処理する受信画像データ処理手段（図２に示すコア部９（図９に示す本体制御部３０２））とを有する画像処理装置において、前記通信手段により受信した画像データ内に所定のシート（図７に示すヘッダシート）の画像データが含まれている場合に、前記受信した画像データを前記通信手段により転送処理させる第１の制御手段を有することを特徴とする。
【００１２】
本発明に係る第２の発明は、前記第１の制御手段（図２に示すコア部９（図９に示す本体制御部３０２））は、前記受信した画像データから前記所定のシートの画像データを除いた画像データを転送させる（図１１のステップＳ３０４）ことを特徴とする。
【００１３】
本発明に係る第３の発明は、前記第１の制御手段（図２に示すコア部９（図９に示す本体制御部３０２））は、前記通信手段により受信した画像データ内に所定のシートの画像データが含まれていない場合にのみ、前記受信画像データ処理手段により処理させる（図１１のステップＳ３０８）ことを特徴とする。
【００１４】
本発明に係る第４の発明は、前記受信形態は、ファクシミリ受信，インターネットファクシミリ受信，電子メール受信，ファイル受信，プリントジョブ受信を含むものであり、前記受信画像データ処理手段は、前記画像データの受信形態に基づいてファクシミリプリント処理，インターネットファクシミリプリント処理，電子メール格納処理，ファイル格納処理，プリント処理のうち少なくとも１つ以上を行うことを特徴とする。
【００１５】
本発明に係る第５の発明は、前記受信した画像データ内に前記所定のシートの画像データが含まれている場合に、前記所定のシートの画像データ内の転送情報（図７に示す７１０〜７１５）を認識する第１の認識手段（図２に示すコア部９（図９に示す図形認識部３０３，文字認識部３０４））を有し、前記第１の制御手段は、前記第１の認識手段により認識された転送情報に基づいて、前記受信した画像データを転送させることを特徴とする。
【００１６】
本発明に係る第６の発明は、前記転送情報は、受信した画像データの転送先（図７に示す７１０，７１３）および転送時の送信形態（図７に示す７１１，７１４）を特定する情報を含むものであり、前記第１の制御手段は、前記受信した画像データを前記転送先に前記転送形態で転送させることを特徴とする。
【００１７】
本発明に係る第７の発明は、前記第１の制御手段（図２に示すコア部９（図９に示す本体制御部３０２））は、前記転送処理がエラーとなった場合、該エラーとなった旨を示す情報を、前記画像データの送信元に送信させることを特徴とする。
【００１８】
本発明に係る第８の発明は、原稿を走査して画像データを入力する読み取り手段（図２に示すリーダ部１（図９に示す画像読取り部３０１））を有し、前記読み取り手段により所定のシートを走査させて前記所定のシートに記載された送信情報（図７に示す７０２〜７１５）を認識する第２の認識手段（図２に示すコア部９（図９に示す図形認識部３０３，文字認識部３０４））と、前記第２の認識手段により認識された送信情報に基づいて、前記読み取り手段により入力される画像データに対する前記通信手段による送信処理を制御する第２の制御手段（図２に示すコア部９（図９に示す本体制御部３０２））とを有し、前記第２の制御手段は、前記送信情報内の転送情報（図７に示す７１０〜７１５）の有無に基づいて、前記通信手段に送信させる画像データに前記所定のシートの画像データを含ませるか否かを制御する（図１０のステップＳ２０４〜Ｓ２０６）ことを特徴とする。
【００１９】
本発明に係る第９の発明は、前記第２の制御手段（図２に示すコア部９（図９に示す本体制御部３０２））は、前記送信情報内に転送情報が含まれている場合には、前記送信させる画像データに前記所定のシートの画像データを含ませ（図１０のステップＳ２０５）、一方、前記送信情報内に転送情報が含まれていない場合には、前記送信させる画像データに前記所定のシートの画像データを含ませない（図１０のステップＳ２０６）ことを特徴とする。
【００２０】
本発明に係る第１０の発明は、前記送信情報は、前記読み取り手段による走査条件（図７に示す７０５）、前記送信手段による送信先（図７に示す７０７〜７０９）および送信形態（図７に示す７０２）を特定する情報を含むものであり、前記第２の制御手段は、前記走査条件に基づいて前記読み取り手段による読み取り処理を制御し、前記送信先および送信形態に基づいて前記画像データの送信先および送信形態を制御することを特徴とする。
【００２１】
本発明に係る第１１の発明は、前記転送情報（図７に示す７１０〜７１５）は、送信される画像データの転送先（図７に示す７１０，７１３）および転送時の送信形態（図７に示す７１１，７１４）を特定する情報含むことを特徴とする。
【００２２】
本発明に係る第１２の発明は、前記送信形態は、ファクシミリ送信，インターネットファクシミリ送信，電子メール送信，ファイル送信，プリントジョブ送信を含むことを特徴とする。
【００２３】
本発明に係る第１３の発明は、前記所定のシートは、所定の通信媒体を介してダウンロードされ印刷されたシート（図８に示す処理により印刷された図７に示すヘッダシート）であることを特徴とする。
【００２４】
本発明に係る第１４の発明は、前記所定のシートは、ネットワークを介してサーバ装置にアクセスし、該サーバ装置（図１に示すサーバ９００）上で使用する画像処理装置の機種を選択し、ダウンロードされ印刷された、使用する画像処理装置の機種で使用可能な走査条件，送信形態を特定する情報が記載されたシート（図８に示す処理により印刷された図７に示すヘッダシート）であることを特徴とする。
【００２５】
本発明に係る第１５の発明は、所定の通信媒体を介して画像データを受信する受信工程（図１１のステップＳ３０１以前の図示しない工程）と、該受信した画像データ内に所定のシートの画像データが含まれている場合には、前記受信した画像データを転送する転送工程（図１１のステップＳ３０５）を有することを特徴とする。
【００２６】
本発明に係る第１６の発明は、前記受信した画像データ内に所定のシートの画像データが含まれていない場合にのみ、前記受信した画像データを受信形態に基づいて処理する受信画像データ処理工程（図１１のステップＳ３０８）を有することを特徴とする。
【００２７】
本発明に係る第１７の発明は、前記受信形態は、ファクシミリ受信，インターネットファクシミリ受信，電子メール受信，ファイル受信，プリントジョブ受信を含むものであり、前記受信画像データ処理工程は、ファクシミリプリント処理，インターネットファクシミリプリント処理，電子メール格納処理，ファイル格納処理，プリント処理を含むことを特徴とする。
【００２８】
本発明に係る第１８の発明は、前記受信された画像データ内に前記所定のシートの画像データが含まれている場合に、前記所定のシートの画像データ内の転送情報を認識する第１の認識工程（図１１のステップＳ３０２）を設け、前記転送工程（図１１のステップＳ３０５）は、前記第１の認識工程により認識された転送情報に基づいて、前記受信された画像データを転送させることを特徴とする。
【００２９】
本発明に係る第１９の発明は、前記転送情報は、受信された画像データの転送先および転送時の送信形態を特定する情報を含むものであり、前記転送工程（図１１のステップＳ３０５）は、前記受信された画像データを前記転送先に前記転送形態で転送させることを特徴とする。
【００３０】
本発明に係る第２０の発明は、前記転送工程による転送処理がエラーとなった場合、該エラーとなった旨を示す情報を、前記画像データの送信元に送信するエラー通知工程（図１１のステップＳ３０５以降の図示しない工程）を有することを特徴とする。
【００３１】
本発明に係る第２１の発明は、所定のシートを走査し前記所定のシートに記載された送信情報を認識する第２の認識工程（図１０のステップＳ２０２）と、該認識された送信情報に基づいて、原稿を走査して画像データを入力し、該入力される画像データを送信する送信工程（図１０のステップＳ２０７）とを有し、前記送信工程は、前記認識された送信情報内に転送情報が含まれている場合には、送信させる画像データに前記所定のシートの画像データを含ませ（図１０のステップＳ２０５）、一方、前記送信情報内に転送情報が含まれていない場合には、前記送信処理させる画像データに前記所定のシートの画像データを含ませない（図１０のステップＳ２０６）ことを特徴とする。
【００３２】
本発明に係る第２２の発明は、前記送信情報は、原稿の走査条件、原稿から入力される画像データの送信先および送信形態を特定する情報を含むものであり、前記送信工程は、前記走査条件に基づいて原稿を走査して画像データを入力し、該入力された画像データを前記送信形態で送信することを特徴とする。
【００３３】
本発明に係る第２３の発明は、前記転送情報は、送信される画像データの転送先および転送時の送信形態を特定する情報を含むことを特徴とする。
【００３４】
本発明に係る第２４の発明は、前記送信形態は、ファクシミリ送信，インターネットファクシミリ送信，電子メール送信，ファイル送信，プリントジョブ送信を含むことを特徴とする。
【００３５】
本発明に係る第２５の発明は、前記所定のシートは、所定の通信媒体を介してダウンロードされ印刷されたシート（図８に示す処理により印刷された図７に示すヘッダシート）であることを特徴とする。
【００３６】
本発明に係る第２６の発明は、前記所定のシートは、ネットワークを介してサーバ装置にアクセスし、該サーバ装置上で使用する画像処理装置の機種を選択し、ダウンロードされ印刷された、使用する画像処理装置の機種で使用可能な走査条件，送信形態を特定する情報が記載されたシート（図８に示す処理により印刷された図７に示すヘッダシート）であることを特徴とする。
【００３７】
本発明に係る第２７の発明は、請求項１５〜２６のいずれかに記載された画像データ転送方法を実行するためのプログラムであることを特徴とする。
【００３８】
本発明に係る第２８の発明は、請求項１５〜２６のいずれかに記載された画像データ転送方法を実行するためのプログラムを記録媒体にコンピュータが読み取り可能に記録させたことを特徴とする。
【００３９】
【発明の実施の形態】
図１は、本発明の一実施形態を示す画像処理装置（複合複写機）及びサーバ装置を適用可能なシステムの構成を示す図である。
【００４０】
図において、３００Ａ，３００Ｂ，３００Ｃ（以下、３００）は複合複写機で、詳細は後述する図２，図３に示す。
【００４１】
複合複写機３００は、インターネット及び公衆回線５００を介して、電子メール，ファイル転送を行ったり、ファクシミリ（ＦＡＸ）７００等とファクシミリ送受信等を行うことができる。
【００４２】
９００はサーバで、インターネット及び公衆回線５００を介してＰＣ／ＷＳ６００よりアクセス可能である。４００はイーサネット（登録商標）等のＬＡＮであり、ルータ５５０を介してインターネット及び公衆回線５００と接続されている。
【００４３】
図２は、図１に示した複合複写機３００の構成を示すブロック図である。
【００４４】
図に示すように、本実施形態の複合複写機は、リーダ部１，プリンタ部２，画像入出力制御部３，操作部１０から構成される。
【００４５】
リーダ部１は、原稿の画像を読み取り、原稿画像に応じた画像データをプリンタ部２及び画像入出力制御部３へ出力する。プリンタ部２は、リーダ部１および画像入出力制御部３からの画像データに応じた画像を記録紙上に記録する。画像入出力制御部３は、リーダ部１に接続されており、ファクシミリ部４、ネットワークインタフェース部５、フォーマッタ部６、ハードディスク７、イメージメモリ部８、コア部９などからなる。
【００４６】
ファクシミリ部４は、公衆回線を介して受信した圧縮画像データを伸長し、この伸長した画像データをコア部９へ転送し、また、コア部９から転送された画像データを圧縮し、この圧縮した圧縮画像データを公衆回線を介して送信する。
【００４７】
ネットワークインタフェース部５は、ネットワーク（例えば、イーサネット（登録商標）（登録商標））４００を介して、パーソナルコンピュータまたはワークステーション（ＰＣ／ＷＳ）６００とコア部９との通信を制御する。
【００４８】
フォーマッタ部６は、ＰＣ／ＷＳ６００から転送された画像を表すコードデータをプリンタ部２で記録できる画像データに展開するものである。ハードディスク７は、プログラムや各種データ等が格納されている。また、ハードディスク７は、展開した画像データ等を一時的に記憶する用途にも使用される。
【００４９】
イメージメモリ部８は、ＰＣ／ＷＳ６００から転送されたデータをー時的に記憶するものである。
【００５０】
コア部９は、ＣＰＵ，ＲＯＭ，ＲＡＭ等を有し、リーダ部１、ファクシミリ部４、ネットワークインタフェース部５、フォーマッタ部６、イメージメモリ部８のそれぞれの間のデータの流れを制御するものである。
【００５１】
操作部１０は、ＬＣＤタッチパネル及び各種ハードキー（スタートキーを含む）から構成され、複合複写機３００に対する各種操作指示及び設定が可能である。
【００５２】
図３は、図１に示したリーダ部１及びプリンタ部２の構造を示す断面図であり、図１と同一のものには同一の符号を付してある。
【００５３】
リーダ部１において、１０１は原稿給送装置（原稿フィーダ）で、コピーやファクシミリ送信を行う際の紙原稿を原稿を先頭順に１枚ずつ原稿台１０２上へ給送し、原稿の読み取り動作終了後、プラテンガラス１０２上の原稿を排出するものである。
【００５４】
原稿がプラテンガラス１０２上に搬送されると、ランプ１０３を点灯し、そしてスキャナユニット１０４の移動を開始させて、原稿を露光走査する。この時の原稿からの反射光は、ミラー１０５、１０６、１０７、及びレンズ１０８によってＣＣＤイメージセンサ（以下ＣＣＤという）１０９へ導かれる。このように、走査された原稿の画像はＣＣＤ１０９によって読み取られる。ＣＣＤ１０９から出力される画像データは、所定の処理が施された後、画像入出力制御部３のコア部９へ転送される。
【００５５】
なお、ユーザは、原稿フィーダ１０１を上方に上げて、原稿台１０２に原稿を置くことも可能であり、原稿フィーダ１０１は原稿台カバーでもある。
【００５６】
プリンタ部２において、２０１はレーザ発光部で、リーダ部１から出力された画像データに応したレーザ光を発光する。このレーザ光は感光ドラム２０２に照射され、感光ドラム２０２にはレーザ光に応じた潜像が形成される。
【００５７】
この感光ドラム２０２の潜像の部分には、現像器２０３によって現像剤が付着される。そして、レーザ光の照射開始と同期したタイミングで、紙カセット２０４および紙カセット２０５のいずれかから記録紙を給紙して転写部２０６ヘ搬送し、感光ドラム２０２に付着された現像剤を記録紙に転写する。現像剤の乗った記録紙は定着部２０７に搬送され、定着部２０７の熱と圧力により現像剤は記像紙に定着される。
【００５８】
定着部２０７を通過した記録紙は、排出ローラ２０８によって排出され、ソータ２２０は排出された記録紙をそれぞれのビンに収納して記録紙の仕分けを行う。なお、ソータ２２０は、仕分けが設定されていない場合は最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。
【００５９】
多重記録が設定されている場合は、記録紙を排出ローラ２０８まで搬送しないようにフラッパ２０９によって再給紙搬送路２１０へ導く。再給紙搬送路２１０へ導かれた記録紙は上述したタイミングで転写部２０６へ給紙される。
【００６０】
なお、紙カセット２０４および紙カセット２０５は、開閉可能で、紙補給時や紙づまり時に開閉して、紙補給や内部につまった紙を除去することができる。さらに、プリンタ部２には、複数の開閉可能な扉（不図示）があり、紙詰まりの時に開閉して、内部につまった紙を除去することができる。
【００６１】
なお、紙カセット２０４および紙カセット２０５および各扉の開閉を検知する不図示のセンサ、原稿フィーダ１０１（原稿台カバー）の開閉，着脱を検知する不図示のセンサ、ソータ２２０の着脱を検知する不図示のセンサ、その他の人為的に衝撃を与える可能性がある可動部の動作を検知する不図示のセンサ等を有し、各センサの検知結果はコア部９内のＣＰＵに通知されるものとする。
【００６２】
なお、本実施形態では、プリンタ部２がレーザビーム方式である場合を例にして説明したが、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【００６３】
図４は、図１に示したＰＣ／ＷＳ６００とサーバ９００の構成を示すブロック図である。
【００６４】
図において、ＰＣ／ＷＳ６００及びサーバ９００は、それぞれＣＰＵ，ＲＯＭ，ＲＡＭ，ＨＤ等のその他の記録媒体等を有し、該ＣＰＵによりＲＯＭ，その他の記録媒体に格納されたプログラムをＲＡＭにロードして実行することができる。
【００６５】
ＰＣ／ＷＳ６００とサーバ９００は、ＬＡＮ，インターネット等を介して、例えばＨＴＴＰ（Ｈｙｐｅｒ　Ｔｅｘｔ　Ｔｒａｎｓｆｅｒ　Ｐｒｏｔｏｃｏｌ）により通信可能である。
【００６６】
ＰＣ／ＷＳ６００は、ＰＣ／ＷＳ６００上で実行されるＷｅｂブラウザ６０１によりサーバ９００に所定のリクエストを送信するとともに、サーバ９００から転送される例えばＨＴＭＬ等の構造化言語で記述された情報を表示することができる。
【００６７】
さらに、サーバ９００において、９０１はＷｅｂサーバで、サーバ側のアプリケーションであるヘッダシート作成プログラム９０２を実行することができる。なお、サーバ９００は、Ｗｅｂブラウザ６０１からのアクセスに応じて、サーバ９００内の図示しないＨＤ等の記憶装置に格納されたヘッダシート入力画面情報（ＨＴＭＬファイル等）９０３をＷｅｂブラウザ６０１へ送信する。そして、ユーザが、Ｗｅｂブラウザ６０１上に表示されたヘッダシート入力画面６０２（図６）で、複合複写機の機種選択を行うと、その選択結果がＷｅｂブラウザ６０１からＷｅｂサーバ９０１に送信される。
【００６８】
次に、ヘッダシート作成プログラム９０２は、Ｗｅｂブラウザ６０１から送信された要求（複合複写機の機種選択）を受けると、サーバ９００内の図示しないＨＤ等の記憶装置に格納された機能テーブル９０５（図５）に基づいて、ヘッダシート入力画面情報９０３の送信タイプ，ファイル形式，解像度の選択欄等を動的に変更し、該変更したヘッダシート入力画面６０２をＷｅｂブラウザ６０１へ再送する。
【００６９】
さらに、ユーザが、Ｗｅｂブラウザ６０１上に表示されたヘッダシート入力画面６０２で、ヘッダシート作成を指示すると、該指示がＷｅｂブラウザ６０１からＷｅｂサーバ９０１に送信され、ヘッダシート作成プログラム９０２は、Ｗｅｂブラウザ６０１から送信されたヘッダシート作成要求を受けると、上述したユーザによる複合複写機の機種選択結果と機能テーブル９０５に基づいて、送信タイプ，ファイル形式，解像度の選択欄等を変更したヘッダシート（図７）を動的に作成し、該ヘッダシートをＷｅｂブラウザ６０１へ返す。
【００７０】
このように、ヘッダシート作成プログラム９０２は、Ｗｅｂブラウザ６０１上で表示するヘッダシートを、Ｗｅｂブラウザ６０１上での機種選択結果及び機能テーブル９０５に基づいてダイナミックに作成するものである。
【００７１】
そして、ユーザは、Ｗｅｂブラウザ６０１上に表示されたヘッダシートをプリンタ８００又は複合複写機３００により印刷することで、後述する図６に示すヘッダシートを得ることができる。
【００７２】
なお、上記サーバ９００側のヘッダシート作成プログラム９０２としては、例えばＪａｖａ（登録商標）Ｓｅｒｖｌｅｔであっても、ＣＧＩ（Ｃｏｍｍｏｎ　Ｇａｔｅｗａｙ　Ｉｎｔｅｒｆａｃｅ）等であってもよい。また、ここでは、ヘッダシート作成プログラム９０２がＷｅｂサーバ９０１上で実行される構成について示しているが、例えばＪａｖａ（登録商標）アプレットのように、ＰＣ／ＷＳ６００上にダウンロードされてＷｅｂブラウザ６０１上で実行されるように構成してもよい。
【００７３】
図５は、図４に示した機能テーブル９０５の一例を示す模式図である。
【００７４】
図において、９０５−１は送信タイプの機能テーブルであり、後述する図６，図７に示す送信タイプ選択欄に出力される送信タイプを機種毎に特定するためのものである。
【００７５】
９０５−２はファイル形式の機能テーブルであり、後述する図６，図７に示すファイル形式選択欄に出力されるファイル形式を機種毎に特定するためのものである。
【００７６】
９０５−３は解像度の機能テーブルであり、後述する図６，図７に示す解像度選択欄に出力される解像度を機種毎に特定するためのものである。
【００７７】
なお、機能テーブル９０５−１〜９０５−３において、「１」となっている項目は、該当機種において使用可能な機能であり、「０」となっている項目は、該当機種において使用不可能な機能である。
【００７８】
図６は、図４に示したヘッダシート入力画面６０２の一例を示す模式図である。
【００７９】
図において、６１０は複合複写機の機種選択欄で、ここで使用する機種に対応するチェック欄をＰＣ／ＷＳ６００の図示しないポインティングデバイスで選択指示することにより、使用する複合複写機の機種を選択することができる。なお、このチェック欄は同時に２つの機種は選択することができない。
【００８０】
６２０はヘッダシート作成ボタンで、このボタンをＰＣ／ＷＳ６００の図示しないポインティングデバイスで指示することにより、ヘッダシートの作成をサーバ９００に指示することができる。
【００８１】
図７は、本発明において使用されるヘッダシートの一例を示す模式図である。
【００８２】
図において、７０２は送信タイプ選択欄で、複合複写機の機種選択欄６１０で選択された複合複写機の機種で使用可能な送信タイプ（例えば、プリンタ，ファクシミリ，Ｉファクシミリ（インターネットファクシミリ，イントラネットファクシミリ），コピー，リモートコピー，電子メール，ファイル送信（ＳＭＢ，ＦＴＰ，ＮＣＰ）等）が図５に示した機能テーブル９０５−１に基づいて出力（表示，印刷）され、ユーザはいずれかの送信タイプを選択（○で囲む）する。なお、複合複写機の機種選択欄６１０で、「その他」が選択された場合には、全ての送信タイプについて出力するものとする。
【００８３】
７０３は部数欄で、送信（印刷）部数を記述する。
【００８４】
７０４ファイル形式選択欄で、複合複写機の機種選択欄６１０で選択された複合複写機の機種で使用可能なファイル形式が図５に示した機能テーブル９０５−２に基づいて印刷され、ユーザはいずれかの送信タイプ７０２でファイル送信（ＳＭＢ，ＦＴＰ，ＮＣＰのいずれか）が選択された場合に、ファイル形式（例えば、ＴＩＦＦ，ＭＴＩＦＦ，ＰＤＦ，ＪＰＥＧ等）を選択（○で囲む）する。なお、複合複写機の機種選択欄６１０で、「その他」が選択された場合には、全てのファイルタイプについて出力するものとする。
【００８５】
７０５は解像度選択欄で、複合複写機の機種選択欄６１０で選択された複合複写機の機種で使用可能な解像度が図５に示した機能テーブル９０５−３に基づいて印刷され、ユーザはいずれか解像度（例えば、２００ｄｐｉ，４００ｄｐｉ，６００ｄｐｉ等）を選択（○で囲む）する。なお、複合複写機の機種選択欄６１０で、「その他」が選択された場合には、全ての解像度について出力するものとする。
【００８６】
７０６はワンタッチボタン番号欄で、複合複写機に登録済みのワンタッチボタンを宛先として入力（記述）することができる。
【００８７】
７０７〜７０９は宛先欄で、宛先を入力（記述）することができる。ここでは宛先１〜宛先３までしか記載されていないが、いくつあってもよい。
【００８８】
７１０，７１３は転送宛先欄で、宛先入力欄７０７〜７０９に送信後に転送される宛先を入力（ＰＣ／ＷＳ６００の図示しないキーボードからの入力，記載）することができる。ここでは転送宛先１，２しか記載されていないが、転送宛先はいくつあってもよい。
【００８９】
７１１，７１４は転送送信タイプ欄で、転送宛先欄７１０，７１３に転送宛先が入力された場合に、転送時の送信タイプを入力（記述）する。
【００９０】
７１２，７１５は転送ファイル形式欄で、転送送信タイプ欄７１１，７１４でファイル送信（ＳＭＢ，ＦＴＰ，ＮＣＰのいずれか）が入力された場合に、転送時のファイル形式を入力（記述）する。なお、電子メールやファクシミリのように転送宛先から送信タイプが一意に特定できるものに関しては、記入を省略することができるようにしてもよい。
【００９１】
なお、上記７０２〜７１５での選択及び記述は、印刷されたヘッダシート上で行う場合について説明したが、図６に示したヘッダシート入力画面上にも、上記図７に示した７０２〜７１５が表示され、該表示された７０２〜７１５について、ＰＣ／ＷＳ６００の図示しないキーボードやポインティングデバイス等を用いて選択，入力し、該選択，入力済みのヘッダシートをプリンタ８００等により印刷するように構成してもよい。
【００９２】
以下、図８のフローチャートを参照して、本発明のサーバ装置におけるヘッダシート作成処理について説明する。
【００９３】
図８は、本発明のサーバ装置におけるヘッダシートの作成処理の一例を示すフローチャートであり、図８（ａ）は図４に示したＷｅｂブラウザ６０１上で実行されるＰＣ／ＷＳ６００における制御処理手順に対応し、図８（ｂ）は図４に示したＷｅｂサーバ９０１上で実行されるサーバ９００における制御処理手順に対応しものとする。なお、図中、Ｓ１０１〜Ｓ１０４，Ｓ１１１〜Ｓ１１４は各ステップを示す。
【００９４】
まず、Ｗｅｂブラウザ６０１側の処理から説明する。
【００９５】
まず、ステップＳ１０１において、ユーザがＷｅｂブラウザ６０１からサーバ９００にアクセスし、Ｗｅｂサーバ９０１から送信されるヘッダシート入力画面情報９０３を受信し表示する。
【００９６】
次に、ステップＳ１０２において、ユーザがＷｅｂブラウザ６０１上に表示されるヘッダシート入力画面６０２上の複合複写機の機種選択欄６１０において、機種選択を行うと、該選択情報がＷｅｂサーバ９０１に送信され、Ｗｅｂサーバ９０１から返信される選択結果の反映したヘッダシート入力画面情報９０３を受信し表示する。
【００９７】
次に、ステップＳ１０３において、ユーザがＷｅｂブラウザ６０１上に表示されるヘッダシート入力画面６０２上のヘッダシート作成ボタン６２０を指示すると、該ヘッダシートの作成要求がＷｅｂサーバ９０１に送信され、Ｗｅｂサーバ９０１から返信されるヘッダシートを受信し表示する。
【００９８】
次に、ステップＳ１０４において、ユーザはＷｅｂブラウザ６０１上に表示されるヘッダシートをプリンタ８００により印刷し、処理を終了する。
【００９９】
次に、Ｗｅｂサーバ９０１側の処理について説明する。
【０１００】
まず、ステップＳ１１１において、Ｗｅｂブラウザ６０１からアクセスがあると、Ｗｅｂブラウザ６０１に対して、ヘッダシート入力画面情報９０３を送信する。
【０１０１】
次に、ステップＳ１１２において、Ｗｅｂブラウザ６０１から複合複写機の機種選択情報を受信すると、該選択結果に基づき、機能テーブル９０５を参照してヘッダシート入力画面情報９０３を変更して、Ｗｅｂブラウザ６０１に送信する。
【０１０２】
次に、ステップＳ１１３において、Ｗｅｂブラウザ６０１からのヘッダシート作成指示を受信すると、上記複合複写機の機種結果に基づくヘッダシートを作成して、Ｗｅｂブラウザ６０１に送信する。
【０１０３】
次に、ステップＳ１１４において、ヘッダシートを送信したユーザに対して課金処理を行い、処理を終了する。
【０１０４】
なお、この課金処理は、どのような課金処理であってもよい。例えば、予めユーザ登録時にクレジットカード番号等をユーザに入力させ、ステップＳ１０１のサーバアクセス時にパスワードを入力させてユーザ確認を行い、該当するユーザのクレジットカードにより課金するように構成してもよいし、ユーザに対して請求書を発行し（請求書データをＷｅｂブラウザ６０１に送信しても、メール送信しても、印刷して郵送するようにしてもよい）、ユーザに所定の銀行口座への振込みを促すように構成してもよい。また、実際に金品のやり取りが行われなくても構わない。
【０１０５】
図９は、本発明の画像処理装置の制御構成を示すブロック図である。
【０１０６】
図において、３０１は画像読み取り部で、図２に示したリーダ部１に対応する。３０２は本体制御部で、複合複写機３００全体を制御する。３０３は図形認識部で、画像読み取り部３０１により読み取られた画像データ内の図形情報を認識する。３０４は文字認識部で、画像読み取り部３０１により読み取られた画像データ内の文字情報を認識する。なお、本体制御部３０２，図形認識部３０３，文字認識部３０４は、図２に示したコア部９に対応する。
【０１０７】
３０５は送信先テーブルで、ＦＡＸ部３０６，ＰＣ通信部３０７により送信可能な送信先データが格納される。なお、送信先テーブル３０５は、図２に示したハードディスク７に格納されるものとする。
【０１０８】
ＦＡＸ部３０６は、図２に示したファクシミリ部４に対応し、ＰＣ通信部３０７は、図２に示したネットワークインタフェース部５に対応する。また、３０８は出力部で、図２に示したプリンタ部２に対応する。
【０１０９】
以下、図１０，図１１を参照して、本発明の画像処理装置における送信処理及び受信処理について説明する。
【０１１０】
図１０は、本発明の画像処理装置における第１の制御処理の一例を示すフローチャートであり、複合複写機の送信処理に対応する。なお、図中、Ｓ２０１〜Ｓ２１０は各ステップを示す。
【０１１１】
原稿がリーダ部１の原稿フィーダ１０１にセットされ、操作部１０の図示しないスタートキーが押下されると、原稿フィーダ１０１から先頭の原稿を一枚給送し、リーダ部１により画像読み取りを行い、ステップＳ２０１において、原稿の先頭にヘッダシートが有るか否かを判定し、ヘッダシートがないと判定した場合には、ステップＳ２１０に進み、通常モードの処理を行う。即ち、操作部１０の各種キーにより設定された操作を行う。
【０１１２】
一方、ステップＳ２０１で、原稿の先頭にヘッダシートが有ると判定した場合には、ステップＳ２０２に進み、文字認識部３０４，図形認識部３０３によるＯＣＲ処理（文字認識処理），図形認識処理を行う。
【０１１３】
次に、ステップＳ２０３において、ＯＣＲ（文字認識），図形認識結果が正常認識であったか否かを判定し、正常認識できなかったと判定した場合には、ステップＳ２０９に進み、エラー処理を行い、ステップＳ２０８に進む。なお、このエラー処理は、１回目のエラーの場合は、ヘッダシートを含む原稿の読み取り処理からのやり直しを促すメッセージ表示し、連続した２回目のエラーの場合には、ヘッダシートを新しいものに交換して、原稿の読み取り処理からのやり直しを促す旨のメッセージを表示するものとする。
【０１１４】
一方、ステップＳ２０３で、ＯＣＲ（文字認識），図形認識結果が正常認識であったと判定した場合には、ステップＳ２０４において、ヘッダシート上に転送フラグがある（転送宛先欄７１０，７１３に転送宛先が記入されている）か否かを判定し、転送フラグがあったと判定した場合には、ステップＳ２０５に進む。
【０１１５】
次に、ステップＳ２０５において、ヘッダシートの解像度選択欄７０５に記載された解像度で原稿画像を読み取り、ヘッダシートを含む読み取り画像データを生成し、ステップＳ２０７に進む。
【０１１６】
一方、ステップＳ２０４で、ヘッダシート上に転送フラグがない（転送宛先欄７１０，７１３に転送宛先が記入されていない）と判定した場合には、ステップＳ２０６において、ヘッダシートの解像度選択欄７０５に記載された解像度で原稿画像を読み取り、ヘッダシートを含まない読み取り画像データを生成し、ステップＳ２０７に進む。
【０１１７】
ステップＳ２０７では、ＯＣＲ結果（ヘッダシートの送信タイプ７０２，部数７０３，ファイル形式７０４，宛先７０７〜７０９に記載された内容）に基づく出力処理（プリント出力，ファクシミリ送信，Ｉファクシミリ送信，リモートコピーへの出力，電子メール送信，ファイル送信等）を行う。
【０１１８】
次に、ステップＳ２０８において、処理内容をログ（図１２）へ書き込み、処理を終了する。
【０１１９】
図１１は、本発明の画像処理装置における第２の制御処理の一例を示すフローチャートであり、複合複写機の受信処理に対応する。なお、図中、Ｓ３０１〜Ｓ３０８は各ステップを示す。
【０１２０】
ファクシミリ，Ｉファクシミリ，リモートコピージョブ，電子メール，ファイル等を受信すると、まず、ステップＳ３０１において、受信データの先頭にヘッダシートが有るか否かを判定し、ヘッダシートがないと判定した場合には、ステップＳ３０８に進み、受信タイプに応じた処理を行う。即ち、受信タイプがプリンタジョブ受信，ファクシミリ受信，Ｉファクシミリ受信等のプリント出力を要求するものであれば受信データをプリント出力し、電子メール受信，ファイル受信等であれば受信データをハードディスク等に格納する。そして、処理が終了すると、ステップＳ３０６に進む。
【０１２１】
一方、ステップＳ３０１で、受信データの先頭にヘッダシートが有ると判定した場合には、ステップＳ３０２に進み、文字認識部３０４，図形認識部３０３によるＯＣＲ処理（文字認識処理），図形認識処理を行う。
【０１２２】
次に、ステップＳ３０３において、ＯＣＲ（文字認識），図形認識結果が正常認識であったか否かを判定し、正常認識できなかったと判定した場合には、ステップＳ３０７に進み、送信元にエラー情報を送信し、ステップＳ３０６に進む。
【０１２３】
一方、ステップＳ３０３で、ＯＣＲ（文字認識），図形認識結果が正常認識であったと判定した場合には、ステップＳ３０４において、受信画像データからヘッダシートを除き、ステップＳ３０５において、ＯＣＲ結果（ヘッダシートの部数７０３，転送宛先欄７１０，７１３，ヘッダシートの部数７０３，転送先送信タイプ７１１，７１４，転送先ファイル形式７１２，７１５に記載された内容）に基づく転送処理（プリント出力，ファクシミリ送信，Ｉファクシミリ送信，リモートコピーへの出力，電子メール送信，ファイル送信等）を行い、ステップＳ３０６に進む。
【０１２４】
次に、ステップＳ３０６において、処理内容をログ（図１２）へ書き込み、処理を終了する。
【０１２５】
なお、ステップＳ３０５における転送出力処理の結果、エラーとなった場合（転送出力処理時のエラーや転送出力先からエラーが返信された場合等）にも、該エラー情報を送信元に返信する。
【０１２６】
さらに、転送処理終了後、転送結果を、正常に終了した場合、エラー終了した場合のいずれの場合も、送信元に返信するように構成してもよい。
【０１２７】
これにより、送信元のユーザも、転送処理結果を人手を介することなく、確認することができる。
【０１２８】
図１２は、本発明の画像処理装置におけるログを説明する模式図である。
【０１２９】
図に示すように、ＩＤを付した受信ログと送信ログを一組にして記録しているので、転送出力先からエラーが返信された等の場合でも、送信元を特定し、該送信元に対して転送先から返信されたエラーを転送することができる。
【０１３０】
以下、図１３を参照して、図７に示したヘッダシート（図７）を取得し（図８）、送信出力（図１０），転送出力（図１１）までの全体の作業及び処理の流れについて説明する。
【０１３１】
図１３は、本発明におけるヘッダシート取得から送信出力，転送出力までの全体の作業及び処理のについて説明するフローチャートであり、Ｓ４０１〜Ｓ４０３は各ステップを示す。
【０１３２】
まず、ステップＳ４０１において、ユーザは、Ｗｅｂ上でヘッダシートに機種情報を入力（選択）し、プリントアウトする（図８）。なお、Ｗｅｂ上では、図６の６０１で示したように複合複写機の備える機種が一覧で見えるような画面構成になっている。また、ヘッダシートに対する送信先情報（図７の７０２〜７１５）の記述は、Ｗｅｂ上で入力してもよいし、プリントアウト後にヘッダシートに直接記述してもよい。
【０１３３】
次に、ステップＳ４０２において、プリントアウトしたヘッダシートを先頭にして原稿をセットし、図示しないスタートキーを押下して、リーダ部１から原稿を読み込ませ、ヘッダシート内の四角で囲まれた部分を図形認識，ＯＣＲ処理し、ＯＣＲ結果から送信先を決定し、送信処理（送信タイプが「コピー」等の場合はプリント処理）する（図１０）。なお、ＯＣＲ結果において送信先の情報が認識できない場合は、エラー表示を行い、エラー情報をプリントアウトし、操作を終了する。また、送信時、読み込んだヘッダシートに転送宛先の記述があれば、送信したいデータと共にヘッダシートも送信し、転送先がなければ、ヘッダシートを除いて送信する。
【０１３４】
受信データ転送時は、ステップＳ４０３に示すように、受信データの１枚目がヘッダシートの場合、ヘッダシートをＯＣＲ処理し、その結果から、受信データを移動転送する。なお、ＯＣＲ結果において転送先の情報を認識できない場合は、送信元にエラー結果をヘッダシート画像と共に送信する。また、転送時には転送に関連した命令のみ判断して実行するものとする。
【０１３５】
なお、送信，転送したログは図１２に示したように、複合複写機のハードディスク７内に残り、ユーザが印刷選択することにより、ログ情報をプリントアウトすることができる。なお、このログ情報のプリントアウトは、定期的に行ってもよい。
【０１３６】
また、複合複写機のハードディスク７内にその複合複写機の機能に応じたヘッダシートを格納しておき、操作部１０の図示しないキーを押下することで、プリントアウトされるように構成してもよい。
【０１３７】
以上示したように、ＦＡＸ機能，コピー機能，電子メール機能等の複数の複雑な機能を備える複合複写機であっても、図７に示したようなヘッダシートを先頭にした原稿を原稿台に置きスタートボタンを押下するだけで、操作に不慣れなユーザも容易に（複雑な操作パネルでの操作を行うことなく）所望の機能を選択して使用することができる。
【０１３８】
また、複合複写機の機能（図７に示したファイル形式、解像度、送信方法等）がヘッダシートに記入されている為、ファイル形式，解像度，送信方法に対応する知識が全く無い不慣れなユーザであっても、処理を行うことができる。さらに、通常のパネル操作では知りえない機能についても容易に使用することができる。
【０１３９】
また、ヘッダシートに転送命令を追加して送信先の複合複写機に対して転送処理を指示することもできる。
【０１４０】
従って、全国に事務所を持つ企業のように、内線等の通信費の安い回線を使用して、目的の近くの事務所（中継地点）までＦＡＸを送信し、該中継地点で一度ＦＡＸ受信し再度目的の場所までＦＡＸ送信して通信費のコストダウンを行う場合であっても、従来のように中継地点で一度受信出力したＦＡＸを手動により再度スキャンする必要がないため、ＦＡＸ等により印刷物をリレー転送する場合にも画像の劣化を防ぐことが可能になり、企業等の通信費を削減することができる。
【０１４１】
さらに、中継地点での手動による転送先入力もないため、転送先での手動入力のミスによる送信エラーも防止することができる。
【０１４２】
また、ヘッダシートの取得に関しては、Ｗｅｂ画面において、最初に送信元の機種選択を行い、選択された機種で送信可能な機能をピックアップしたヘッダシートが印刷される。ヘッダシートの詳細内容は直接Ｗｅｂ入力したものを印刷することも、詳細内容をＷｅｂ上で入力しないで後から手書きで書き込むことが可能である。
【０１４３】
さらに、中間地点の機種選択もＷｅｂ上で行って、選択された機種で転送可能な機能をピックアップしたヘッダシートを印刷するように構成してもよい。
【０１４４】
このようなヘッダシートを通常のファクシミリ装置で用いて、通常のファクシミリ装置からヘッダシート付きで本実施形態の複合複写機にＦＡＸ送信を行えば、ＦＡＸを受信した複合複写機はヘッダシートの内容をＯＣＲで読み取り、ＩＦＡＸ（インターネットファクシミリ，イントラネットファクシミリ）、電子メール、ＦＴＰ等インターネット回線を利用した転送と通常の公衆回線を利用した転送が可能となる。
【０１４５】
これにより、送信元ＦＡＸは最寄りの複合複写機への通信費＋ヘッダシート（１枚１０円等のサービス料）だけで、その後海外等の遠隔地に通信費の安価なＩＦＡＸ、電子メール、ＦＴＰ等で転送されるため、海外等の遠隔地へ原稿を送信する場合等に通信費を大幅に削減することができる。
【０１４６】
よって、このサービスは、ヘッダシートさえもっていれば、パーソナルコンピュータや複合複写機がなくても、通常のファクシミリ装置を使用するだけで可能である。
【０１４７】
また、送受信のログは、共通のＩＤで管理する為、転送命令の入っているヘッダシートを受信した場合には、受信元と転送先のログの整合性をとれるので、転送結果を送信元に返送するように構成することで、送信元において転送命令が問題なく行われているかを確認することができる。また、このログをプリントアウトすることで履歴をユーザに報知したり、保持することもできる。
【０１４８】
さらに、上記各実施形態を合わせた構成も本発明に含まれるものである。
【０１４９】
以上説明したように、所定の通信媒体を介して受信した画像データ内にヘッダシートの画像データが含まれている場合には、前記受信した画像データをヘッダシートの画像データ中の転送先情報に従い中継リレー転送することにより、ヘッダシートと原稿を合わせて送信された画像データであれば、中間地点において人手を介することなく、最終の目的地へ中継転送することができるとともに、一旦出力した画像を再入力して中継転送することによる画像品質の劣化を防ぐことができる。
【０１５０】
また、最初の送信元からヘッダシートを複数枚重ねて送信することにより、複数のヘッダシートに順次記載された転送先へそれぞれ複数の画像処理装置を中継して最終目的地へリレー転送することも可能である。この場合、いずれの中継地点においても人手を介することなく複数の画像処理装置を中継して最終の目的地へリレー転送することができるので、いくら中継地点を増やしても一旦出力された画像を人手を介して再入力して転送した場合のように、画像品質が劣化することはない。
【０１５１】
さらに、ヘッダシートに固定転送指定欄を設け、この固定転送指定欄にマーキングすることにより、中継地点の画像処理装置は予め登録された複数の固定転送先へ受信画像を転送するように構成してもよい。これにより、ユーザは、一々ヘッダシートに転送先情報を記載しなくても予め登録された複数の固定転送先への転送を指示することができる。
【０１５２】
また、ヘッダシート上に複数の転送先を順次直列に記載可能な欄を設け、中継地点の画像処理装置が、受信した画像データを、該ヘッダシート上の次の転送先へ転送するように構成してもよい。この場合、上記実施形態とは異なり、中継地点の画像形成装置が転送処理を行う際、該転送処理の転送先が最終目的地でない場合は、該画像形成装置はヘッダシートそのものを削除することなく、ヘッダシート上から該画像処理装置が転送処理する転送先のみを削除するように構成する。これにより、画像データをヘッダシートに順次直列に記載された複数の転送先へ順次複数の画像処理装置を中継して最終目的地へリレー転送するが可能となる。この場合も、いずれの中継地点においても人手を介することなく複数の画像処理装置を中継して最終の目的地へリレー転送することができるので、いくら中継地点を増やしても一旦出力された画像を人手を介して再入力して転送した場合のように、画像品質が劣化することはない。
【０１５３】
以下、図１４，図１５に示すメモリマップを参照して本発明に係る複合複写機，サーバ装置で読み出し可能なデータ処理プログラムの構成について説明する。
【０１５４】
図１４は、本発明に係る画像処理装置で読み出し可能な各種データ処理プログラムを格納する記憶媒体のメモリマップを説明する模式図であり、図１５は、本発明に係るサーバ装置で読み出し可能な各種データ処理プログラムを格納する記憶媒体のメモリマップを説明する模式図である。
【０１５５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５６】
さらに、各種プログラムに従属するデータも上記ディレクトリに管理されている。また、インストールするプログラムやデータが圧縮されている場合に、解凍するプログラム等も記憶される場合もある。
【０１５７】
本実施形態における図８，図１０，図１１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５８】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５９】
この場合、記憶媒体から読み出されたプログラムコード自体が本発明の新規な機能を実現することになり、そのプログラムコードを記憶した記憶媒体は本発明を構成することになる。
【０１６０】
プログラムコードを供給するための記憶媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１６１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１６４】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１６５】
【発明の効果】
以上説明したように、本発明によれば、所定の通信媒体を介して受信した画像データ内に所定のシートの画像データが含まれている場合には、前記受信した画像データを転送するので、送信元において所定のシートと原稿を合わせて送信された原稿画像データであれば、人手を介することなく、目的地へ転送することができるとともに、転送による画像品質の劣化を防ぐことができる。
【０１６６】
また、転送処理がエラーとなった場合、該エラーとなった旨を示す情報を、前記画像データの送信元に送信するので、送信元のユーザは、転送処理がエラーとなったことを容易に確認することができる。
【０１６７】
さらに、所定のシートを走査し前記所定のシートに記載された送信情報を認識し、該認識された送信情報に基づいて、原稿を走査して画像データを入力し、該入力される画像データを送信する際、前記認識された送信情報内に転送情報が含まれている場合には、送信させる画像データに前記所定のシートの画像データを含ませ、一方、前記送信情報内に転送情報が含まれていない場合には、前記送信処理させる画像データに前記所定のシートの画像データを含ませないので、送信元においては、操作に不慣れなユーザであっても、通常の送信処理と転送命令を含む送信処理とを容易に使い分けることができる。
【０１６８】
また、画像処理装置で使用可能な機能がヘッダシートに記入されているため、パネル操作では知りえない機能についても容易に使用することができる。
【０１６９】
さらに、所定のシートは、ネットワークを介してサーバ装置にアクセスし、該サーバ装置上で使用する画像処理装置の機種を選択し、ダウンロードされ印刷された、使用する画像処理装置の機種で使用可能な走査条件，送信形態を特定する情報が記載されたシートであるので、ユーザの使用する機種に対応したシートを容易に得ることができる。
【０１７０】
従って、複合複写機等の画像処理装置の操作に不慣れなユーザであってもヘッダシートを原稿台に置きスタートボタンを押下するだけで、画像転送処理を行わせることができる。その際、ファイル形式、解像度、送信方法に対応する知識が全く無くても、ヘッダシートを使用すれば複合複写機側でヘッダシートをＯＣＲ処理し操作パネルで指定することなく自動指定することができる。また、ヘッダシートに転送情報を記載することにより、通常ＦＡＸからヘッダシート付きで本発明の画像処理装置に送信を行えば、ＦＡＸを受信した画像処理装置はヘッダシートの内容をＯＣＲで読み取り、ＩＦＡＸ（インターネットファクシミリ，イントラネットファクシミリ）、電子メール、ＦＴＰ等インターネット回線を利用した転送と通常の公衆回線を利用したファクシミリ転送が可能となり、海外等の遠隔地へ原稿を送信する場合等に通信費を大幅に削減することができる等の効果を奏する。
【図面の簡単な説明】
【図１】本発明の一実施形態を示す画像処理装置（複合複写機）及びサーバ装置を適用可能なシステムの構成を示す図である。
【図２】図１に示した複合複写機の構成を示すブロック図である。
【図３】図１に示したリーダ部及びプリンタ部の構造を示す断面図である。
【図４】図１に示したＰＣ／ＷＳとサーバの構成を示すブロック図である。
【図５】図４に示した機能テーブルの一例を示す模式図である。
【図６】図４に示したヘッダシート入力画面の一例を示す模式図である。
【図７】本発明において使用されるヘッダシートの一例を示す模式図である。
【図８】本発明のサーバ装置におけるヘッダシートの作成処理の一例を示すフローチャートである。
【図９】本発明の画像処理装置の制御構成を示すブロック図である。
【図１０】本発明の画像処理装置における第１の制御処理の一例を示すフローチャートである。
【図１１】本発明の画像処理装置における第２の制御処理の一例を示すフローチャートである。
【図１２】本発明の画像処理装置におけるログを説明する模式図である。
【図１３】本発明におけるヘッダシート取得から送信出力，転送出力までの全体の作業及び処理について説明するフローチャートである。
【図１４】本発明に係る画像処理装置で読み出し可能な各種データ処理プログラムを格納する記憶媒体のメモリマップを説明する模式図である。
【図１５】本発明に係るサーバ装置で読み出し可能な各種データ処理プログラムを格納する記憶媒体のメモリマップを説明する模式図である。
【符号の説明】
３０２　本体制御部
３０３　図形認識部
３０４　文字認識部
３０６　ＦＡＸ部
３０７　ＰＣ通信部
【図１】
2004064624.tif 000003
【図２】
2004064624.tif 000004
【図３】
2004064624.tif 000005
【図４】
2004064624.tif 000006
【図５】
2004064624.tif 000007
【図６】
2004064624.tif 000008
【図７】
2004064624.tif 000009
【図８】
2004064624.tif 000010
【図９】
2004064624.tif 000011
【図１０】
2004064624.tif 000012
【図１１】
2004064624.tif 000013
【図１２】
2004064624.tif 000014
【図１３】
2004064624.tif 000015
【図１４】
2004064624.tif 000016
【図１５】
2004064624.tif 000017